(57)【特許請求の範囲】
【請求項１】
天井の取付開口の開口周縁に設けられる取付枠と、
この取付枠に取り付けられ室内を照明する照明器具と
を具備する照明装置であって、
前記照明器具は、
前記取付枠の一辺に沿って長手方向を有し、この長手方向とは直角な方向に向かって発光する光源部と、
この光源部に対し発光方向に隣接し、前記取付開口を覆うようにして取り付けられ、前記光源部から発せられた光を端面から取り込んで下面から出射し、これにより室内を照明する導光板と
を備え、
前記光源部は、
その長手方向の第一端部を前記取付枠の上面に支持させ、前記第一端部とは反対側の第二端部を前記取付枠の上面から離した状態で、前記取付枠上をスライド可能な本体部と、
前記本体部の前記第一端部に設けられ、前記スライド方向には移動を許容し且つ上下方向には位置規制する第一規制部と、
前記本体部において前記第一規制部から前記第二端部側に離れた位置に設けられ、上下方向には移動を許容し且つ前記スライド方向には位置規制する第二規制部と
を有しており、
前記本体部の前記第一端部を前記取付枠の上面に支持させ且つ前記第二端部を前記取付枠から離した状態でスライドさせ、前記第一規制部を取付枠に位置規制させた状態で、前記第二規制部側を前記取付枠上に載置し、これにより前記光源部が前記取付枠に取り付けられる
ことを特徴とする照明装置。
【請求項２】
前記第一規制部はスライド方向に開口した切欠により構成され、
前記第二規制部は下方に開口した切欠により構成されている
ことを特徴とする請求項１記載の照明装置。
【請求項３】
前記光源部は、複数の前記本体部を有しており、
当該複数の本体部は、前記取付枠上に沿って直線状に配置される
ことを特徴とする請求項１または請求項２に記載の照明装置。
【請求項４】
請求項１〜３のいずれか一項に記載の照明装置が、点検口を有する天井に取り付けられた照明装置の取付構造であって、
前記点検口は前記取付開口に並ぶように配置され、
前記光源部が前記点検口に隣り合う側の前記取付枠の一辺に取り付けられ、
前記光源部の前記第一規制部は、前記点検口から離れた側の端部に設けられている
ことを特徴とする照明装置の取付構造。
【発明の詳細な説明】
【技術分野】
【０００１】
本発明は、一般に、照明装置、及びその取付構造に関し、より詳細には、部屋の天井の取付開口に取り付けられた照明装置、及びその取付構造に関するものである。
【背景技術】
【０００２】
特許文献１には、従来の照明装置が開示されている。この特許文献１記載の照明装置は、線状光源装置と、導光板とを備えている。線状光源装置は、一方向に長さを有しており、その長手方向とは直角な方向に向かって発光する。導光板は、線状光源装置に対して発光方向に隣接配置され、その端面を介して線状光源装置から発せられた光を取り込み、下面から出射させることで面状に光を発する。
【先行技術文献】
【特許文献】
【０００３】
【特許文献１】特開２０１０−１４６９３１号公報
【発明の概要】
【発明が解決しようとする課題】
【０００４】
ところで、この種の光源装置は、長尺な形状をしているため、取り付け又は取り外し時の扱いが難しい場合がある。とりわけ、光源装置の長手方向の一方の端部側から作業を行う必要がある場合、作業者は、反対側の端部に手が届きにくいため固定作業が難しいという問題がある。
【０００５】
本発明は、上記事情に鑑みてなされたものであり、長尺な光源部を有する照明装置においても、取り付け又は取り外しの作業性がよい照明装置およびその取付構造を提供することを目的とする。
【課題を解決するための手段】
【０００６】
本発明の照明装置は、天井の取付開口の開口周縁に設けられる取付枠と、この取付枠に取り付けられ室内を照明する照明器具とを具備する照明装置であって、前記照明器具は、前記取付枠の一辺に沿って長手方向を有し、この長手方向とは直角な方向に向かって発光する光源部と、この光源部に対し発光方向に隣接し、前記取付開口を覆うようにして取り付けられ、前記光源部から発せられた光を端面から取り込んで下面から出射し、これにより室内を照明する導光板とを備え、前記光源部は、その長手方向の第一端部を前記取付枠の上面に支持させ、前記第一端部とは反対側の第二端部を前記取付枠の上面から離した状態で、前記取付枠上をスライド可能な本体部と、前記本体部の前記第一端部に設けられ、前記スライド方向には移動を許容し且つ上下方向には位置規制する第一規制部と、前記本体部において前記第一規制部から前記第二端部側に離れた位置に設けられ、上下方向には移動を許容し且つ前記スライド方向には位置規制する第二規制部とを有しており、前記本体部の前記第一端部を前記取付枠の上面に支持させ且つ前記第二端部を前記取付枠から離した状態でスライドさせ、前記第一規制部を取付枠に位置規制させた状態で、前記第二規制部側を前記取付枠上に載置し、これにより前記光源部が前記取付枠に取り付けられることを特徴とする。
【０００７】
本発明の照明装置の取付構造は、上記照明装置が、点検口を有する天井に取り付けられた照明装置の取付構造であって、前記点検口は前記取付開口に並ぶように配置され、前記光源部が前記点検口に隣り合う側の前記取付枠の一辺に取り付けられ、前記光源部の前記第一規制部は、前記点検口から離れた側の端部に設けられていることを特徴とする。
【発明の効果】
【０００８】
本発明の照明装置によれば、長尺な光源部を有する照明装置においても、取り付け又は取り外しの作業性をよくすることができる。
【０００９】
また、本発明の照明装置の取付構造によれば、長尺な光源部を有する照明装置においても、取り付け又は取り外しの作業性をよくすることができる。
【図面の簡単な説明】
【００１０】
【図１】本実施形態の照明装置の取付構造の分解斜視図である。
【図２】本実施形態の取付枠の斜視図である。
【図３】本実施形態の取付枠の要部断面図である。
【図４】本実施形態の取付枠の要部拡大斜視図である。
【図５】本実施形態の照明装置の斜視図である。
【図６】本実施形態の照明装置の断面図である。
【図７】本実施形態の照明装置の要部拡大断面図である。
【図８】本実施形態の本体部の斜視図である。
【図９】本実施形態の本体部の長手方向にみた図である。
【図１０】本実施形態の本体部の長手方向に直角な方向にみた図である。
【図１１】本実施形態の照明装置の本体部の取付方法を説明する斜視図であり、本体部をスライド移動させる動作を示す。
【図１２】本実施形態の照明装置の本体部の取付方法を説明する要部拡大斜視図である。
【図１３】照明装置の本体部の取付方法を説明する斜視図であり、本体部の第二端部を取付枠上に載せる動作を示す。
【発明を実施するための形態】
【００１１】
以下、本発明の実施形態について添付図面に基づいて説明する。
【００１２】
本実施形態の照明装置２は、図１に示すように、部屋１の天井に取り付けられる。この照明装置２は面状に発光し、部屋１を照明する。照明装置２は、部屋１の天井の面積のおよそ半分を占めている。すなわち、本実施形態の天井は、およそ半分が発光するように構成されている。
【００１３】
本実施形態の部屋１は浴室である。部屋１は、天井パネル１１と、壁パネル１４と、床パネル（図示せず）とを有するユニットルームにより構成される。天井パネル１１は、壁パネル１４の上端に載せられて設置されている。天井パネル１１には、点検口１２と、浴室乾燥機を取り付けるための取着口１３とが設けられている。点検口１２は、部屋１から天井裏（天井パネル１１の上方）を点検するための開口である。ユーザーや作業者等は、点検口１２を介して、照明装置２や浴室乾燥機の点検やメンテナンスを行うことができる。
【００１４】
なお、部屋１は、浴室でなくてもよく、例えば、エレベータのキャビンや、居室であってもよい。
【００１５】
部屋１は天井を有する。本実施形態において天井は、部屋１内部の空間を形成する上面をいい、具体的には、天井パネル１１の下面と、照明装置２の下面とで構成される。天井には取付開口１５が設けられており、この取付開口１５を通して照明できるように照明装置２が取付開口１５上に取り付けられる。
【００１６】
取付開口１５は、照明装置２を取り付けるために天井に設けられた開口である。取付開口１５は、長さと幅（幅は長さよりも短い）とを有しており、これにより矩形状に形成されている。点検口１２は、取付開口１５の長さ方向の一方の端部側に偏った位置において、取付開口１５の幅方向に並ぶように配置されている。
【００１７】
なお、本実施形態の取付開口１５は、天井パネル１１の縁と壁パネル１４の縁とで構成されているが、天井パネル１１に設けられた貫通口により構成されてもよい。また、取付開口１５は矩形状でなくてもよい。
【００１８】
照明装置２は、天井パネル１１および壁パネル１４に取り付けられており、取付開口１５を通して部屋１を照明する。照明装置２は、取付枠３と、照明器具５とを備えている。
【００１９】
取付枠３は、照明器具５を天井に固定する。本実施形態の取付枠３は、取付開口１５を囲むように当該取付開口１５の周縁に取り付けられる。取付枠３は、図２に示すように、平面視矩形枠状に形成されている。取付枠３は、天井パネル１１と壁パネル１４とを相互に連結し、これによって、天井パネル１１と壁パネル１４とを補強する機能も有する。取付枠３は、フレーム本体３１と、取付部材３６と、押さえ部材３４とを備えている。
【００２０】
フレーム本体３１は、取付枠３の主体を構成する。フレーム本体３１は、一対の長フレーム３２と、一対の短フレーム３３とを有しており、平面視略矩形枠状をしている。フレーム本体３１は、天井パネル１１および壁パネル１４の上端に載せられて、固着具を介して固定される。具体的には、長フレーム３２が取付開口１５の長辺に沿って配置され、短フレーム３３が取付開口１５の短辺に沿って配置され、この状態で固着具により固定されることで、フレーム本体３１は取付開口１５の開口周縁に取り付けられる。
【００２１】
押さえ部材３４は、後述の導光板６を上から押さえる部材である。押さえ部材３４は、フレーム本体３１に固着具を介して取り付けられる。
【００２２】
取付部材３６は、フレーム本体３１の一対の長フレーム３２のうち、点検口１２側に位置する長フレーム３２に取り付けられる。取付部材３６は、長フレーム３２の長さ方向に平行な方向に延びている。取付部材３６には、後述の光源部７が取り付けられる。取付部材３６は、図３に示すように、固定部３７と、縦面部３８と、スライド支持部３９とを備えている。
【００２３】
固定部３７は、フレーム本体３１の下方に配置された状態で、当該フレーム本体３１に連結される。固定部３７は、フレーム本体３１の短フレーム３３の長さ方向に平行な方向に幅を有し、長フレーム３２の長さ方向に平行な方向に長さを有する。
【００２４】
縦面部３８は、固定部３７の幅方向の外側（対向する長フレーム３２とは反対側に向かう方向）の端部から上方に向かって延びている。縦面部３８には、外側に向かって突出する複数の連結ピン４０が設けられている。連結ピン４０は、例えば、円筒状のスペーサ４３に挿入されたねじ４４を縦面部３８にねじ込むことで設けられている。連結ピン４０は、図４に示すように、取付部材３６の長さ方向の一方の端部に第一ピン４１が設けられ、この第一ピン４１から、取付部材３６の長さ方向に沿って一定寸法離れた位置に第二ピン４２が設けられる。
【００２５】
なお、本実施形態の照明装置２は、この第一ピン４１と第二ピン４２との組が、取付部材３６の長手方向に並んで複数組（３組）設けられている。
【００２６】
スライド支持部３９は、図３に示すように、縦面部３８の上端から内側（固定部３７の幅方向のうち、対向する長フレーム３２側に向かう方向）に向かって突出している。スライド支持部３９は、短フレーム３３の長さ方向に平行な方向に幅を有し、長フレーム３２の長さ方向に平行な方向に長さを有している。このスライド支持部３９の上面は、水平面となっており、取付枠３の上面の一部を構成する。
【００２７】
取付枠３には、図５に示すように、照明器具５が取り付けられる。この照明器具５は、フレーム本体３１に保持される導光板６と、取付部材３６に保持される光源部７とを備えている。なお、図中の符号９３は、導光板６の上面に被せる上カバー９３である。
【００２８】
導光板６は、光源部７から発せられた光を端面から取り込み、下面から出射して、室内を照明する。導光板６は、アクリルやガラスなどの透明板によって構成される。導光板６は、短フレーム３３の長さ方向に平行な方向に幅を有し、長フレーム３２の長さ方向に平行な方向に長さを有し、これにより平面視矩形状に形成されている。また、導光板６は、上下方向に厚さを有している。
【００２９】
図６には照明装置２を短フレーム３３の長手方向に平行に切断した断面図を示す。また、図７には、この図６において光源部７の部分の拡大図を示す。図７に示すように、導光板６は、入射面６１と、拡散部６２と、出射面６３とを備えている。入射面６１は、光源部７から発せられた光を導光板６内部に取り込む導光板６の端面である。入射面６１は、導光板６の幅方向の一対の端面のうち、点検口１２が配置される側の端面により構成される。拡散部６２は、入射面６１から導光板６の内部に入射した光を拡散させ、出射面６３に向かって反射させる。拡散部６２は、導光板６の上面に形成される。拡散部６２は、例えば、ドット状のパターンが導光板６の上面に印刷されることで形成される。出射面６３は、導光板６の内部に取り込んだ光を外部に出射させるための面である。出射面６３は、導光板６の下面によって構成される。
【００３０】
導光板６は、図６に示すように、フレーム本体３１上に配置された状態で、押さえ部材３４によって押さえられ、これにより取付枠３に固定される。導光板６は、取付枠３に取り付けられると、天井に設けられた取付開口１５を上方から覆う。
【００３１】
光源部７は、図５に示すように、取付枠３の長フレーム３２の長さ方向に沿って配置されている。光源部７は、複数の本体部７１（本実施形態では３つ）を備えている。この複数の本体部７１は、取付枠３の長フレーム３２に沿って直線状に配置される。以下、複数の本体部７１については、すべて同じ構造となっているため、点検口１２から最も離れた位置に取り付けられる本体部７１を主に説明する。
【００３２】
本体部７１は、図８に示すように、一方向に延びている。本体部７１の長手方向は、取付枠３の長フレーム３２の長さ方向に平行である（本体部７１において、点検口１２からより離れている側の端部を第一端部８８とし、その反対側の端部を第二端部８９とする）。本体部７１は、この長手方向に直角な水平方向に向かって発光するように構成されている。
【００３３】
本体部７１は、光源部７の主体を構成する。本体部７１は、図９に示すように、基台部７２と、覆い部８０と、発光部７７とを備えている。基台部７２は、発光部７７を支持する受片７３と、受片７３の上端から外側に向かって突出したスライド片７４と、スライド片７４の先端から突出した縦片７５と、受片７３の上端から内側に向かって突出した連結片７６とを備えている。
【００３４】
受片７３は、発光部７７を支持する。受片７３は上下方向に幅、長フレーム３２の長さ方向に平行な方向に長さを有する。スライド片７４は、取付枠３のスライド支持部３９上に載置された状態で、長フレーム３２の長さ方向に平行な方向（以下、この方向をスライド方向と言う場合がある）にスライド移動可能である（図１１参照）。スライド片７４は、受片７３の上端から水平方向の外側に向かって突出している。縦片７５は、スライド片７４の先端から下方に延出しており、スライド支持部３９上におけるスライド片７４のスライド移動をガイドすることができる。連結片７６は、受片７３の上端から内側に向かって突出しており、その上面がスライド片７４の上面と面一となっている。連結片７６は覆い部８０の上端を支持する。
【００３５】
発光部７７は、基板７８と、この基板７８上に実装された複数のＬＥＤ７９（Light Emitting Diode）とを備えている。複数のＬＥＤ７９は、本体部７１の長さ方向に沿って一定の間隔をおいて配置されている。この発光部７７は、基台部７２に取り付けられ、覆い部８０によって覆われる。
【００３６】
覆い部８０は、発光部７７を側方から覆い、当該発光部７７を保護する。覆い部８０は、下端が受片７３に連結され、上端が連結片７６に連結されて取り付けられる。覆い部８０は、ＬＥＤ７９の上下両側に設けられた一対の突条８１と、この突条８１間に設けられた透過部８２とを備える。
【００３７】
突条８１は、覆い部８０から基板７８に向かって突出している。突条８１の突出先端は、基板７８に接触または近接対向している。透過部８２は、透明樹脂によって構成されている。なお、覆い部８０において、透過部８２以外の部位は、光反射性のある樹脂材（例えば、白色の樹脂材）によって構成されている。すなわち、覆い部８０は、２色成形品である。
【００３８】
また、覆い部８０には、導光板６側に突出する押さえ突部８３が設けられている。押さえ突部８３は、光源部７が取付枠３に取り付けられると、導光板６を上から押さえつけるように構成されている。この押さえ突部８３も白色の樹脂材によって構成される。
【００３９】
発光部７７が発光すると、その光は、大部分が透過部８２を通過して直接導光板６に入射し、一部の光が、透過部８２とその他の部位との境界面および突条８１に反射して導光板６に入射する。従って、本実施形態の照明装置２によれば、覆い部８０によって光ロスを抑制する。
【００４０】
この本体部７１には、図８に示すように、第一規制部８４と、第二規制部８６とが設けられている。
【００４１】
第一規制部８４は、図１０に示すように、本体部７１の第一端部８８に設けられている。第一規制部８４は、本体部７１の長さ方向（すなわち、スライド方向）に開口した切欠により構成される（この切欠を第１の切欠８５という）。第１の切欠８５には、上側の縁に導入部８５１が設けられている。これにより、第一規制部８４は、スライド方向には移動を許容し、且つ上下方向には位置規制する。
【００４２】
第二規制部８６は、本体部７１において、第一規制部８４から第二端部８９側に離れた位置に設けられており、本実施形態では第二端部８９に設けられている。第二規制部８６は、下方に開口した切欠により構成される（この切欠を第２の切欠８７という）。これにより、第二規制部８６は、上下方向には移動を許容し、且つスライド方向には位置規制するように構成されている。なお、第二規制部８６は、第二端部８９に設けられていなくてもよく、第一規制部８４から離れて設けられていればよい。
【００４３】
なお、本実施形態の光源部７は、左右対称となるように、いずれの端部にも、第一規制部８４と第二規制部８６とが設けられている。
【００４４】
このような構成の光源部７は、次のようにして取り付けられる。
【００４５】
作業者は、図１１に示すように、本体部７１の第一端部８８を取付枠３のスライド支持部３９の上面に支持させ、且つ第二端部８９を取付枠３から上方に離した姿勢にする。この状態で作業者は、本体部７１をスライド支持部３９に沿ってスライド移動させる。
【００４６】
すると、本体部７１は、図１２に示すように、第一規制部８４が第一ピン４１に差し掛かり、上下方向に位置規制される。さらにスライド移動すると、第一ピン４１が第１の切欠８５の奥部に当たり、スライド方向に位置決めされる。この状態で作業者は、図１３に示すように、本体部７１の第二端部８９を下方に回転させ、スライド支持部３９上に載置する。すると、第２の切欠８７に第二ピン４２が入り込む。この状態では、第二規制部８６が第二ピン４２に引っ掛かり、本体部７１はスライド方向に移動規制される。
【００４７】
また、光源部７のメンテナンスを行うときなど、本体部７１を取り外す場合には、次のようにして行う。
【００４８】
作業者は、本体部７１の第二端部８９側を持ち上げ、取付枠３上に第一端部８８が支持されて傾斜した姿勢とさせる（図１３の本体部７１の状態）。この状態で作業者は、取り付け時のスライド方向とは反対方向に本体部７１を移動させる。これにより、本体部７１を引き寄せることができ、簡単に持ち上げて取り外すことができる。このように、本実施形態の照明装置２によれば、複数の本体部７１が直線状に配列されていても、全ての本体部７１を取り外すことなく、１つだけ本体部７１を取り外すことも可能である。
【００４９】
なお、点検口１２から最も離れた位置に取り付けられる本体部７１については、上述のように取り付けられるが、この本体部７１に隣接する本体部７１（中央の本体部７１）は、第二規制部８６のみを用いて、取付枠３に取り付けられる。すなわち、この中央の本体部７１は、上方から下方に向かって移動させることで、第二規制部８６に連結ピン４０が入り込み、これによって、本体部７１は取付枠３に取り付けられる。
【００５０】
また、各本体部７１にはカバー９１が取り付けられている。カバー９１は、例えば、接着によって本体部７１に取り付けられる。なお、このカバー９１は設けられていなくてもよい。
【００５１】
また、照明装置２には、図６に示すように、導光板６の下方に配置された下カバー９２が設けられる。下カバー９２は、透光性を有する。下カバー９２は、取付枠３のフレーム本体３１の下方に配置される。また、導光板６の上方には、上カバー９３が設けられる。上カバー９３は、導光板６の上方を覆うようにして取り付けられる。上カバー９３は、導光板６の上面に接触するように取り付けられることで、光漏れを防ぐと共に光ロスを防いで効率を向上させることができる上に、導光板６を保護することができる。
【００５２】
以上説明したように、本実施形態の照明装置２は、次の第１の特徴を備える。第１の特徴では、照明装置２は、天井の取付開口１５の開口周縁に設けられる取付枠３と、この取付枠３に取り付けられ室内を照明する照明器具５とを備える。照明器具５は、光源部７と、導光板６とを備える。光源部７は、取付枠３の一辺に沿って長手方向を有し、この長手方向とは直角な方向に向かって発光する。導光板６は、光源部７に対し発光方向に隣接し、取付開口１５を覆うようにして取り付けられる。また、導光板６は、光源部７から発せられた光を端面から取り込んで下面から出射し、これにより室内を照明する。光源部７は、本体部７１と、この本体部７１の第一端部８８に設けられた第一規制部８４と、本体部７１において第一規制部８４から第二端部８９側に離れた位置に設けられた第二規制部８６とを備える。本体部７１は、第一端部８８を取付枠３の上面に支持させ、第一端部８８とは反対側の第二端部８９を取付枠３の上面から離した状態で、取付枠３上をスライド可能である。第一規制部８４は、スライド方向には移動を許容し、且つ上下方向には位置規制する。第二規制部８６は、上下方向には移動を許容し、且つスライド方向には位置規制する。光源部７を取付枠３に取り付けるには次のように行う。作業者は、本体部７１の第一端部８８を取付枠３の上面に支持させ、且つ第二端部８９を取付枠３から離した状態でスライドさせ、第一規制部８４を取付枠３に位置規制させた状態で、第二規制部８６側を取付枠３上に載置する。
【００５３】
この第１の特徴を有する照明装置２によれば、長尺な光源部７を取り付ける場合に、取付枠３上において、一端部を滑らせて簡単に装着することができるため、取り付けまたは取り外しの作業性がよいものとなる。
【００５４】
また、本実施形態の照明装置２は、以下に示す第２の特徴または第３の特徴を有することが好ましい。なお、この第２の特徴または第３の特徴は、本発明に必ずしも必要な構成ではなく、任意の構成である。
【００５５】
第２の特徴では、第１の特徴において、第一規制部８４はスライド方向に開口した切欠により構成される。第二規制部８６は下方に開口した切欠により構成される。
【００５６】
この第２の特徴を有する照明装置２によれば、取り付け又は取り外しの作業性の向上を、簡単な構成で実現することができる。特に、第一規制部８４を切欠（第１の切欠８５）により構成すると、切欠の奥部を用いて位置決めできるため、より作業性を向上させることができる。
【００５７】
第３の特徴では、第１または第２の特徴において、光源部７は、複数の本体部７１を有する。この複数の本体部７１は、取付枠３上に沿って直線状に配置される。
【００５８】
この第３の特徴を有する照明装置２によれば、本体部７１を複数並べた場合にも、１つの本体部７１だけを取り外すこともできる。すなわち、本実施形態の光源部７は、本体部７１の第二端部８９を持ち上げ、スライドさせて取り外すものであるため、他の本体部７１が隣接した状態であっても、対象となる光源部７を作業者側に引き寄せることができる。
【００５９】
また、本実施形態の照明装置２の取付構造は、次の第４の特徴を有する。第４の特徴では、第１〜第３の特徴のいずれか１つの特徴を有する照明装置２が、点検口１２を有する天井に取り付けられたものである。点検口１２は取付開口１５に並ぶように配置される。光源部７が点検口１２に隣り合う側の取付枠３の一辺に取り付けられる。光源部７の第一規制部８４は、点検口１２から離れた側の端部に設けられている。
【００６０】
第４の特徴を有する照明装置２の取付構造によれば、点検口１２を通して作業者が光源部７を取り付ける場合に、本体部７１の第一端部８８をスライドさせて取り付けることができるため、長尺な本体部７１の取り付け、又は取り外しの作業性を向上させることができる。
【００６１】
なお、本実施形態の光源部７は、３つの本体部７１によって構成されていたが、例えば、１つの長尺な本体部７１によって構成されてもよく、本発明において本体部７１の数量は特に限定されない。
【符号の説明】
【００６２】
１      部屋
１１    天井パネル
１２    点検口
１５    取付開口
２      照明装置
３      取付枠
３１    フレーム本体
３２    長フレーム
３３    短フレーム
３４    押さえ部材
３６    取付部材
３９    スライド支持部
４０    連結ピン
４１    第一ピン
４２    第二ピン
５      照明器具
６      導光板
６１    入射面
６２    拡散部
６３    出射面
７      光源部
７１    本体部
８０    覆い部
８１    突条
８２    透過部
８３    押さえ突部
８４    第一規制部
８５    第１の切欠
８５１  導入部
８６    第二規制部
８７    第２の切欠
８８    第一端部
８９    第二端部
【図１】
0006365978.tif 000002
【図２】
0006365978.tif 000003
【図３】
0006365978.tif 000004
【図４】
0006365978.tif 000005
【図５】
0006365978.tif 000006
【図６】
0006365978.tif 000007
【図７】
0006365978.tif 000008
【図８】
0006365978.tif 000009
【図９】
0006365978.tif 000010
【図１０】
0006365978.tif 000011
【図１１】
0006365978.tif 000012
【図１２】
0006365978.tif 000013
【図１３】
0006365978.tif 000014